【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
共押出しで管状の熱可塑性樹脂でできた多層予備成形体を製造するための装置であって、
ほぼ同軸に設けられた複数の流路（ＦＫ１，ＦＫ２）を有する共押出しヘッド（１０）を備え、
この複数の流路に各々、個々の流入開口部（ＺＦ１，ＺＦ２）から、分配環（２６，２８）内で環状に分配されかつ円錐切頭環に沿って流れる溶融材料が供給され、
この場合溶融材料が漏斗状に拡張している流路（１２）内に流れ、
その内部において移動可能な環状ピストン（１６）が往復直線運動可能な環状蓄圧室（１４）と、
遮断可能な環状ノズル間隙（２０）を有する、環状蓄圧室（１４）に接続している引渡し−環状管路（１８）を備えている装置において、
共押出しヘッドを通る縦断面で見て、各分配環（２６，２８）内の間隙幅（ｓ１，ｓ２）が、流入開口部（ＺＦ１，ＺＦ２）の領域内においては、流入開口部（ＺＦ１，ＺＦ２）と反対側の領域内の間隙幅（ｓ２，ｓ６）よりも広いことと、
共押出しヘッドを通る縦断面で見て、各流路（ＦＫ１，ＦＫ２）内の間隙幅（ｓ３，ｓ７）が、流入開口部（ＺＦ１，ＺＦ２）の領域内においては、流路（ＦＫ１，ＦＫ２）と反対側の領域内の間隙幅（ｓ４，ｓ８）よりも狭いことを特徴とする装置。
【請求項２】
各分配環（２６，２８）の中心横断面面積（Ｆ２６，Ｆ２８）が、所属する流路（ＦＫ１，ＦＫ２）の中心有効横断面面積（ＦＦＫ１，ＦＦＫ２）よりも大きいことを特徴とする請求項１記載の装置。
【請求項３】
流路（ＦＫ１，ＦＫ２）は各々、第一シリンダ環（２２；２４）内で合流し、この場合第一シリンダ環（２２；２４）の各々の横断面面積（Ｆ２２，Ｆ２４）が、所属する流路（ＦＫ１，ＦＫ２）の端部においては、好ましくは横断面面積（ＦＦＫ１，ＦＦＫ２）の大きさの２倍の大きさであることを特徴とする請求項１または２に記載の装置。
【請求項４】
第一シリンダ環（２２；２４）の各々の横断面面積（Ｆ２２，Ｆ２４）が、所属する分配環（２６；２８）の平均横断面面積（Ｆ２６，Ｆ２８）のせいぜい２倍の大きさであることを特徴とする請求項３記載の装置。
【請求項５】
複数の溶融材料が互いに出会う合流箇所（３０）と、一緒になった溶融材料を漏斗状に拡張された共通の流路（１２）内に合流する拡張箇所（３２）の間に、共通のシリンダ環（３４）として形成されている緩衝区間が設けられていることを特徴とする請求項１〜４のいずれか一つに記載の装置。
【請求項６】
共通のシリンダ環（３４）の横断面面積（Ｆ３４）が第一シリンダ環（２２，２４）の横断面面積（Ｆ２２，Ｆ２４）の和に一致していることを特徴とする請求項５記載の装置。
【請求項７】
共通のシリンダ環（３４）の長さが所属するシリンダ環（２２，２４）の環間隙（ｓ９，ｓ１０）の和の２倍と同じかあるいはそれより大きいことを特徴とする請求項６記載の装置。
【請求項８】
漏斗状でかつ環状の共通の流路（１２）が内側円錐切頭ジャケット面（３６）と外側円錐切頭ジャケット面（３８）により区画されており、
この場合共押出しヘッド（１０）を通る縦断面で見て、垂直線と内側円錐切頭ジャケット面（３６）との間の第一角度が、垂直線と外側円錐切頭ジャケット面（３８）との間の第二角度よりも小さいことを特徴とする請求項１〜７のいずれか一つに記載の装置。
【請求項９】
外側壁（４０）における円錐切頭体の各流路（ＦＫ１，ＦＫ２）の領域内に、バッフル（４４）を保持する環状のノッチ（４２）が設けられており、このバッフルが溶融材料の貫流を絞るために円錐切頭環内に移動可能であるように構成されていることを特徴とする請求項１〜８のいずれか一つに記載の装置。
【請求項１０】
弾性的バッフル（４４）の内径が調節装置により変更可能であるように構成されていることを特徴とする請求項９記載の装置。
【請求項１１】
流入開口部（ＺＦ１，ＺＦ２）が各々、供給装置（５０，５２）と接続しており、この供給装置が共押出しヘッド（１０）と強固に接続しかつ供給凹部（５４，５６）を有しており、この供給凹部は環状ピストン（１６）の行程時に溶融材料を流入開口部（ＺＦ１，ＺＦ２）に移送することと、
溶融材料が供給装置（５０，５２）に、溶融材料が強固に接続している共押出し導管を経由して供給されることを特徴とする請求項１〜１０のいずれか一つに記載の装置。
【請求項１２】
供給凹部（５４，５６）が環状ピストン（１６）の行程に相当する長さを有していることを特徴とする請求項１１記載の装置。
【請求項１３】
供給装置（５０，５２）が環状セグメントとして形成されていることを特徴とする請求項１２記載の装置。
【請求項１４】
二つの異なる溶融材料のために、互いに正反対に設けられた二つの供給装置（５０，５２）が設けられていることを特徴とする請求項１１〜１３のいずれか一つに記載の装置。
【請求項１５】
流入開口部（ＺＦ１，ＺＦ２）が各々、供給シリンダ（６０）接続しており、この供給シリンダが摺動可能な環状ピストン（１６）に強固に固定され、かつこの供給シリンダ内では不動に設けられた中空供給ピストン（６２）が摺動可能に収容されており、この中空供給ピストンには溶融材料が中空供給ピストンと強固に接続された押出し導管（６４）を経由して供給されていることを特徴とする請求項１〜１０のいずれか一つに記載の装置。
【請求項１６】
共押出しで管状の熱可塑性樹脂でできた多層予備成形体を製造するための装置であって、
ほぼ同軸に設けられた複数の流路（ＦＫ１，ＦＫ２）を有する共押出しヘッド（１０）を備え、
この複数の流路に各々、個々の流入開口部（ＺＦ１，ＺＦ２）から、分配環（２６，２８）内で環状に分配されかつ円錐切頭環に沿って流れる溶融材料が供給され、
この場合溶融材料が漏斗状に拡張している流路（１２）内に流れ、
その内部において移動可能な環状ピストン（１６）が往復直線運動可能な環状蓄圧室（１４）と、
遮断可能な環状ノズル間隙（２０）を有する、環状蓄圧室（１４）に接続している引渡し−環状管路（１８）を備えている装置において、
漏斗状でかつ環状の共通流路（１２）が、内側円錐切頭ジャケット面（３６）と外側円錐切頭ジャケット面（３８）により区画されていること、
および共押出しヘッド（１０）を通る縦断面で見て、垂直面と内側円錐切頭ジャケット面（３６）の間の第一角度が、垂直面と外側円錐切頭ジャケット面（３８）の間の第二角度よりも小さいことを特徴とする装置。
【請求項１７】
第一角度がほぼ０°であることを特徴とする請求項１６記載の装置。
【請求項１８】
内側ジャケット面がシリンダ面として形成されていることを特徴とする請求項１７記載の装置。
【請求項１９】
共押出しで管状の熱可塑性樹脂でできた多層予備成形体を製造するための装置であって、
ほぼ同軸に設けられた複数の流路（ＦＫ１，ＦＫ２）を有する共押出しヘッド（１０）を備え、
この複数の流路に各々、個々の流入開口部（ＺＦ１，ＺＦ２）から、分配環（２６，２８）内で環状に分配されかつ円錐切頭環に沿って流れる溶融材料が供給され、
この場合溶融材料が漏斗状に拡張している流路（１２）内に流れ、
その内部において移動可能な環状ピストン（１６）が往復直線運動可能な環状蓄圧室（１４）と、
遮断可能な環状ノズル間隙（２０）を有する、環状蓄圧室（１４）に接続している引渡し−環状管路（１８）を備えている装置において、
ノッチ（４２）が各流路（ＦＫ１，ＦＫ２）に近接した外壁（４０）に設けられており、この流路が環状の円錐台として形成されており、
ノッチがバッフル（４４）を収容しており、このバッフルが環状の円錐状の円錐台内に移動して溶融材料の流れを調整することができることを特徴とする装置。
【請求項２０】
弾性のバッフル（４４）の内径が、調節装置により変化することを特徴とする請求項１９記載の装置。
【請求項２１】
共押出しで管状の熱可塑性樹脂でできた多層予備成形体を製造するための装置であって、
ほぼ同軸に設けられた複数の流路（ＦＫ１，ＦＫ２）を有する共押出しヘッド（１０）を備え、
この複数の流路に各々、個々の流入開口部（ＺＦ１，ＺＦ２）から、分配環（２６，２８）内で環状に分配されかつ円錐切頭環に沿って流れる溶融材料が供給され、
この場合溶融材料が漏斗状に拡張している流路（１２）内に流れ、
その内部において移動可能な環状ピストン（１６）が往復直線運動可能な環状蓄圧室（１４）と、
遮断可能な環状ノズル間隙（２０）を有する、環状蓄圧室（１４）に接続している引渡し−環状管路（１８）を備えている装置において、
流入開口部（ＺＦ１，ＺＦ２）が、各々供給装置（５０，５２）と接続しており、この供給装置が共押出しヘッド（１０）と堅固に接続しており、かつ供給凹部（５４，５６）を有しており、この供給凹部がさらに環状ピストン（１６）が行程時に溶融材料を流入開口部（ＺＦ１，ＺＦ２）まで運搬すること、および
溶融材料が堅固に接続した共押出し導管を通って供給装置（５０，５２）に供給されていることを特徴とする装置。
【請求項２２】
供給凹部（５４，５６）が環状ピストン（１６）の行程と同じ長さを有していることを特徴とする請求項２１記載の装置。
【請求項２３】
供給装置（５０，５２）が環状部分として形成されていることを特徴とする請求項２２記載の装置。
【請求項２４】
互いに正反対に配設された二つの供給装置（５０，５２）が二つの異なる溶融材料のために設けられていることを特徴とする請求項２１〜２３のいずれか一つに記載の装置。
【請求項２５】
流入開口部（ＺＦ１，ＺＦ２）が、各々供給シリンダ（６０）と接続しており、この供給シリンダが置き換え可能な環状ピストン（１６）上で堅固に載置されており、かつ移動可能な中空供給ピストン（６２）を把持収容しており、この中空供給ピストンが静止したままで載置されており、このピストンに対して溶融材料が、装置に堅固に接続している押出し導管（６４）により供給されていることを特徴とする請求項２１〜２４のいずれか一つに記載の装置。